(57)【要約】【課題】紙載台上にシート束を確実に案内して切断位置にセットすると共に、その切断縁を確実にプレスして押圧保持することが可能なシート束断裁装置を提供する。【解決手段】紙載台にシート束を案内するガイド部材を、切断刃を挟んでプレス部材と対向する位置に配置すると共に、このガイド部材を走行刃の移動エリア内部のガイド位置と、エリア外部の退避位置との間で位置移動可能に構成し、そのガイドシフト手段を、切断刃が待機位置に位置するとき、若しくは走行初期段階でプレス部材がシート束を加圧する前にガイド部材をガイド位置から退避位置に移動するように制御する。【選択図】図５
2014233803.tif 000002
【特許請求の範囲】
【請求項１】
紙載台上のシート束を所定の切断線を刃に沿って走行する切断刃で断裁する装置であって、
装置フレームと、
前記装置フレームに配置されシート束を載置する紙載台と、
前記紙載台に載置されたシート束を押圧するプレス部材と、
前記プレス部材をシート束厚さ方向に昇降するプレス駆動手段と、
前記シート束の厚さ方向に切刃エッジを有する切断刃と、
前記切断刃を搭載して前記シート束の一端から他端に往復動する走行キャリッジと、
前記紙載台の上流側に配置されシート束を紙載台上に案内するシートガイド手段と
を備え、
前記シートガイド手段は、
前記紙載台に向けてシート束を搬入する側で前記切断刃を介して前記プレス部材と対向する位置であって、
前記走行キャリッジの移動ストローク内側に配置されているガイド面を有するローラ部材又はガイド部材で構成されていることを特徴とするシート束断裁装置。
【請求項２】
前記ガイド部材には、
前記紙載台にシート束の上面を案内する上部ガイドプレートが設けられ、
この上部ガイドプレートは、
前記切断刃を挟んで前記プレス部材と対向する側で、
前記切断刃の走行エリア内部のガイド位置とエリア外部の退避位置との間で位置移動可能に、
構成されていると共に、
前記プレス部材がシート束を加圧動作する前にガイド位置から退避位置に退避するガイドシフト手段
を備えていることを特徴とする請求項１記載のシート束断裁装置。
【請求項３】
前記ローラ部材は、複数枚重ね合わせたシート束を折り合わせる折りローラであることを特徴とする請求項１に記載のシート束断裁装置。
【請求項４】
前記ガイド部材は、シートの最大幅サイズに適合するガイド面を有するガイドプレートで構成され、
このガイドプレートには、シートを紙載台に案内するガイド姿勢と、退避した退避姿勢との間で姿勢変更するガイドシフト手段が備えられていることを特徴とする請求項２に記載のシート束断裁装置。
【請求項５】
前記ガイドシフト手段は、
駆動モータと、
この駆動モータを制御する制御手段と、
前記制御手段は、
前記ガイドプレートをガイド姿勢から退避姿勢に姿勢変更した後に前記走行キャリッジを走行開始位置からシート切断方向に向けて移動するように前記駆動モータを制御することを特徴とする請求項４に記載のシート束断裁装置。
【請求項６】
前記紙載台の上方に位置する上部ガイドプレートには、ガイド姿勢か退避姿勢かを判別するためのセンサが配置され、
前記切断刃でシート束を切断する途中で前記走行キャリッジを走行開始位置に後退移動させるとき、前記上部ガイドプレートが退避姿勢に位置する前記センサからの信号を受けて前記走行キャリッジを後退移動させることを特徴とする請求項４又は５に記載のシート束断裁装置。
【請求項７】
前記制御手段は、前記切断刃でシート束を断裁する過程で不具合が発生したとき、前記走行キャリッジを走行開始位置に後退移動させることを特徴とする請求項６に記載のシート束断裁装置。
【請求項８】
前記走行キャリッジの走行動作と、
前記プレス駆動手段のプレス動作と、
前記ガイドシフト手段のシフト動作と、
は一つの駆動モータから駆動伝達され、
前記駆動手段は、
前記駆動モータの回転で前記シートガイドを作動姿勢から退避姿勢にシフトした後に、前記プレス駆動手段によるプレス動作を実行し、その後に前記走行キャリッジの切断刃でシート束を切断する動作の実行するように駆動モータの回転トルクをガイドシフト、プレス動作、切断動作の順に伝達することを特徴とする請求項５から７のいずれか１項に記載のシート束断裁装置。
【請求項９】
順次シートを搬出するシート搬入経路と、
前記シート搬入経路から送られたシートを部揃え集積して綴じ処理したのち折り処理する綴じ処理経路と、
前記綴じ処理経路から送られたシート束の折り合わせ端をトリミング断裁する断裁処理経路と、
を備え、
前記断裁処理経路には予め設定した断裁位置にシート束断裁装置が配置され、
このシート束断裁装置は請求項１から８のいずれか１項に記載のシート束断裁装置であることを特徴とする後処理装置。
【請求項１０】
前記ガイド部材の少なくとも一部は、
前記走行キャリッジの移動エリア内部に位置するガイド位置と、
エリア外部に位置する待機位置との間で移動可能に構成され、
前記ガイド部材は、
前記走行キャリッジが待機位置に停止しているとき、ガイド位置から待機位置に位置移動するか、
若しくは前記走行キャリッジが待機位置からシート切断開始位置に向けて移動するとき、ガイド位置から待機位置に移動することを特徴とする請求項９に記載の後処理装置。
【発明の詳細な説明】
【技術分野】
【０００１】
本発明は紙葉束の周辺を断裁するシート束断裁装置に係わり、画像形成装置等の後処理装置に組み込むことが可能な小型でコンパクトなシート束断裁機構の改良に関する。
【背景技術】
【０００２】
一般に、この種のシート束断裁装置は、紙載台上に載置したシート束を平板形状のギロチン刃で断裁する断裁機構（ギロチン断裁機構）と、ディスク状の回転刃を回転させながらシート束の一端から他端に向かって徐々に切断する断裁機構（ディスク断裁機構）と、平板形状のカッタをシート束の一端から他端に向かって走行させて断裁する走行刃断裁機構などが知られている。
【０００３】
走行刃断裁機構として、例えば特許文献１には１枚構成の板素材を平板形状の刃先で一端から他端に移動させて切断する装置が開示されている。
同文献にはシート束のように多数枚に積み重ねた素材を断裁する機構は開示されていないが、多数枚のシート束をプレス機構で押圧保持してシート束を一端から他端に徐々に切断する傾斜した刃先を備えたギロチン断裁機構も特許文献２などで知られている。
【０００４】
また、本出願人は特許文献３に示すように、シート束を断裁する装置としてディスク形状のカッタを回転させながらシート束の一端から他端に移動させて断裁する装置を提案してある。
同文献には紙載台に載置したシート束を回転刃を回転させながら一端から他端に走行させる過程で断裁する装置が開示されている。
【先行技術文献】
【特許文献】
【０００５】
【特許文献１】特公平０４−４１１７号公報（図４）
【特許文献２】特許第５０６３１４４号公報（図１）
【特許文献３】特開２００８−１４２８１６号公報
【発明の概要】
【発明が解決しようとする課題】
【０００６】
上述のように（シート束以外の）板状素材を平板形状の切断刃（平刃切断刃）で一端から他端に移動しながら切断する断裁機構は特許文献１などで知られている。また多数枚のシート束をプレス機構で保持した状態で、傾斜した刃先のギロチン刃で一端から他端に徐々に断裁する装置も特許文献２などで知られている。
【０００７】
前者の切断線に沿って走行する切断刃で一端から他端に徐々に切断する切断装置は比較的小型でコンパクトに構成できる特徴があること、後者のギロチン機構の断裁装置は比較的大型で大重量となるが切断品位に優れ、連続して大量のシート束を切断できる特徴があることも知られている。
【０００８】
そこで前者のシート束の一端から他端に移動する走行刃で切断する機構を採用すると、次の問題に遭遇する。シート束の一端から他端に走行する切断刃と、紙載台にシート束を加圧するプレス部材と、紙載台に向けてシートを案内するガイド部材の三者が互いに干渉する問題が発生する。
この三者の関係は、切断刃は走行キャリッジなどの刃先ホールド機構でシート束の一端から他端に移動する関係で、そのホールド機構と移動スペースが必要であり、プレス部材は切断線に沿って切断されるシート端縁を押圧する必要があり、ガイド部材はシート束を紙載台と加圧部材（紙押さえ部材）の間のスペースにジャムすることなく案内する必要がある。
【０００９】
そこでガイド部材は、シート束を紙載台にセットする際にシート先端が加圧部材に引っかからないように案内する場合にことと、切断刃の走行を妨害しないことが要求される。
これに対し従来の装置（ギロチン切断機構）は、切断刃が上方から下方に下降する動作でシートを切断しているため、加圧部材を切断刃と同様に大きいストロークで上下動させることがスペース的に可能である。
【００１０】
そこで本発明者は、加圧部材と走行刃を挟んで対向する位置にシート上面を案内するガイド部材を、走行刃の移動エリアの内部と外部に進退可能に配置し、シート束を加圧部材の反対側から紙載台に挿入させることとこのエリアから退避させることによって限られたスペース内でシート束をセットすることが可能であるとの着想に至った。
【００１１】
本発明は、紙載台上にシート束を確実に案内して切断位置にセットすると共に、その切断縁を確実にプレスして押圧保持することが可能なシート束断裁装置の提供をその課題としている。
【課題を解決するための手段】
【００１２】
上記課題を解決するため本発明は、紙載台にシート束を案内するガイド部材を、切断刃を挟んでプレス部材と対向する位置に配置すると共に、このガイド部材を走行刃の移動エリア内部のガイド位置と、エリア外部の退避位置との間で位置移動可能に構成し、そのガイドシフト手段を、切断刃が待機位置に位置するとき、若しくは走行初期段階でプレス部材がシート束を加圧する前にガイド部材をガイド位置から退避位置に移動するように制御することを特徴としている。
【００１３】
以下その構成を詳述すると、紙載台上のシート束を所定の切断線を刃に沿って走行する切断刃で断裁する装置であって、装置フレームと、前記装置フレームに配置されシート束を載置する紙載台と、前記紙載台に載置されたシート束を押圧するプレス部材と、前記プレス部材をシート束厚さ方向に昇降するプレス駆動手段と、前記シート束の厚さ方向に切刃エッジを有する切断刃と、前記切断刃を搭載して前記シート束の一端から他端に往復動する走行キャリッジと、前記紙載台の上流側に配置されシート束を紙載台上に案内するシートガイド手段とを備える。
そして前記シートガイド手段は、前記紙載台に向けてシート束を搬入する側で前記切断刃を介して前記プレス部材と対向する位置であって、前記走行キャリッジの移動ストローク内側に配置されているガイド面を有するローラ部材又はガイド部材で構成する。
【発明の効果】
【００１４】
本発明は、紙載台にシート束を押圧するプレス部材と、切断刃を挟んで対向する側にシート束を案内するガイド部材を設け、このガイド部材を切断刃の走行エリア内部と外部に位置移動可能に配置するとともに、切断刃が待機位置のとき、若しくはプレス部材が加圧動作する前にガイド位置から退避位置に移動するようにしたものであるから以下の効果を奏する。
【００１５】
シート束を紙載台にセットするためのガイド部材を切断刃を挟んでプレス部材の反対側に配置したから、シートセットする際には、切断刃をシート幅の外側に退避させることによって、シートを案内するスペースを確保することができる。
そして、このスペースにガイド部材を、シートを案内する位置に配置することができる。
従って、シート束をその先端がプレス部材或いは切断刃（その走行機構を含む）に引っかかることなく確実に切断位置に挿入セットすることができる。
【００１６】
これと共に、シート束を紙載台上に加圧するプレス部材は、非作動時に紙載台から大きく離れた待機位置に上昇させる必要がなく（シート束先端が引っかかる恐れがないから）加圧機構をコンパクトに構成することができる。
【００１７】
さらに、ガイド部材は走行キャリッジの動作前、若しくは走行初期時にガイド位置から退避位置に移動させる為、ガイド部材をシフトする機構を共通のモータ（伝動機構）で構成することも可能である。また個別のモータを用いた場合にも消費電力が重なりあって（オーバーラップ通電）過大となることがない。
【図面の簡単な説明】
【００１８】
【図１】本発明にかかわるシート断裁装置の一実施形態であり、装置全体の斜視説明図。
【図２】図１の装置の組立て分解斜視図を示す。
【図３】図１の装置の平面構成の説明図であり、紙載台にシート束をセットした状態で紙押さえ部材が上方に待機し、走行キャリッジが初動位置に位置する状態を示す。
【図４】図１の装置におけるシート束を押圧して保持する紙押さえ機構の説明図であり、（ａ）は紙押え部材がシート束を押圧する作動状態を、（ｂ）は紙押え部材がシート束の上方に退避した待機状態を示す。
【図５】図１の装置におけるシート束を紙載台に挿入（搬入）する状態を示す断面説明図であり、シート束をガイド機構で紙載台に案内する状態を示している。
【図６】図２のガイド機構における動作状態を示し、（ａ）はシート束を紙載台にガイドする状態を、（ｂ）は退避位置に待機する状態を示す。
【図７】図５のガイド機構の駆動部の構成を示し、（ａ）は駆動モータとその伝動機構を、（ｂ）は上部ガイドプレートと下部ガイドプレートの開閉駆動機構を示す。
【図８】図５の実施形態と異なるガイド機構の実施形態を示し、（ａ）はその全体構成を、（ｂ）はその駆動機構を示す。
【図９】図１の装置におけるシート束を切断する状態を示す説明図であり、（ａ）は切断方向平面状態を、（ｂ）は切断方向と直交する断面状態を示している。
【図１０】図１の装置における切断刃の構成を示す説明図であり、（ａ）は切断方向における切断刃の切断状態を、（ｂ）は切断方向と直交する方向の切断刃の切断状態を示し、（ｃ）は（ａ）のｘ−ｘ部の断面拡大図。
【図１１】図１の装置における切断紙片規制部材の構成を示し、（ａ）は切断刃の正面側から見た切断紙片規制部材の構成を、（ｂ）は背面側から見た切断紙片規制部材を構成を示している。
【図１２】切断刃（ユニット）を走行キャリッジに装着する状態の説明図であり（ａ）は、装着する前の状態を（ｂ）は装着した後の状態をそれぞれ示す。
【図１３】切断刃を走行キャリッジに装着した状態の断面説明図。
【図１４】刃先ブレードのカバー部材を走行キャリッジの移動に連動して開閉する第１の実施形態を説明図あり、（ａ）は切断刃ユニットの全体構成を、（ｂ）は開閉カバーの閉蓋状態を、（ｃ）は開閉カバーの開蓋状態をそれぞれ示し、（ｄ）はカバー部材の断面図。
【図１５】図１２の機構における付勢スプリングのバネ力を開方向と閉方向にシフトするカム手段の構成を示し、（ａ）（ｂ）は走行キャリッジが左限位置から切断開始方向に移動する動作状態を、（ｃ）（ｄ）は走行キャリッジが右限位置から切断開始方向に移動する動作状態を示す。また、（ｅ）はカム部材に作用するバネの付勢状態を示す。
【図１６】図１２の実施形態におけるカム手段の装置フレームへの配置構造を示す。（ａ）はカム手段の配置を示す斜視説明図、（ｂ）は駆動モータの回転制御の説明図。
【図１７】図１の装置の搭載した画像形成システムにおける後処理装置の説明図。
【図１８】シート束を切断位置に給送する動作状態の説明図であり（ａ）は、シート束を紙載台に向けて搬送する状態を、（ｂ）は紙載台にシート束を搬送する状態を示す。
【図１９】シート束を切断位置に給送する動作状態の説明図であり（ａ）はシート束を所定の断裁位置に搬送セットした状態を、（ｂ）はシート束を切断する状態を示す。
【図２０】切断後のシート束を排出する状態を示す。
【発明を実施するための形態】
【００１９】
本発明は、複数枚の紙葉を集積したシート束Ｓを所定の切断線に沿って切断するシート断裁装置に関する。図１はその一実施形態を示す全体構成の説明図であり、図２はその組み立て分解斜視図である。
【００２０】
図１に示すようにシート断裁装置Ａは、装置フレーム１と、シート束Ｓを載置する紙載台２と、紙載台にシート束Ｓを押圧して保持する紙押さえ部材１３と、装置フレーム１に所定ストローク（走行ストローク）Ｓｔで往復動可能に取り付けられる走行キャリッジ４と、この走行キャリッジに取り付けられた切断刃ユニット３とから構成されている。
【００２１】
［装置フレーム］
装置フレーム１には、シート束Ｓをセットする開口部１２（紙載エリア；以下同様）が形成され、この開口部１２にシート束Ｓを載置（セット）する紙載台２が形成されている（図示のものは折曲げ成形）。
またメインフレーム１ａには、後述するサブフレーム１ｂに切断刃ユニット３を装備した走行キャリッジ４が所定ストロークＳｔで往復動するように取り付けられている。
【００２２】
図２に示す組立分解図に従って説明すると、図示１ａはメインフレームであり、１ｂはサブフレームであり、１ｃはプレス機構のユニットフレーム（以下「プレスフレーム」という）であり、１ｄはシートガイド機構のユニットフレーム（以下「ガイドフレーム」という）である。
【００２３】
メインフレーム１ａは、金属、樹脂など適度の強度を有する材料で構成され、切断するシート束Ｓをセットする開口部（紙載エリア）１２が形成されている。この開口部１２にはシート束Ｓの下面を載置する紙載台２が配置されている。
このメインフレーム１ａにサブフレーム１ｂとプレスフレーム１ｃとガイドフレーム１ｄが固定され、装置フレーム１を構成している。
【００２４】
サブフレーム１ｂは、後述する走行キャリッジ４を往復動可能に支持する走行ガイド手段（上部ガイドレール）１１と走行駆動手段（駆動モータＭ１とタイミングベルト４８）が組み込まれている。
上部ガイドレール１１は走行キャリッジ４を所定ストロークＳｔで往復動可能に嵌合して案内するように図示のものは互いに平行に配置された第１ガイドレール１１ａと第２ガイドレール１１ｂで構成されている。
【００２５】
図示の第１、第２ガイドレール１１ａ，１１ｂは、断面円形状のガイドロッド（案内軸）で構成しているが、矩形状のガイドレールであっても、或いは第１、第２の一方がガイドロッド、他方が矩形レールで構成しても良い。また、このサブフレーム１ｂはメインフレーム１ａにビスなどで固定され、一体化されている。
従って装置フレーム１はメインフレーム１ａとサブフレーム１ｂに分離することなく両者を一体に構成してもよい。
また、図１の装置は装置フレーム１を開口部（紙載エリア）１２を有する単一のフレーム枠で構成したが、装置フレーム１は紙載エリア１２を介して上下に分かれた上部フレーム枠と下部フレーム枠で分離した構成としても良い。
【００２６】
プレスフレーム１ｃは、紙載台２にシート束Ｓを押圧する紙押さえ部材１３を有するフレーム構造で構成され、固定枠１５と可動枠１６で構成され、固定枠１５はメインフレーム１ａに一体に取り付けられ、可動枠１６はメインフレームの紙載台２に対して圧接する作動位置（図４（ａ））と退避した待機位置（図４（ｂ））との間で上下動するリンク構造で構成されている。そのリンク機構は図４に従って後述する。
【００２７】
プレスフレーム１ｃには、可動枠１６に紙押さえ部材１３が設けてあり、この紙押さえ部材１３は加圧面１３ａが紙載面２と対向してシート束Ｓの上面を加圧（押圧）するようになっている。図示の紙押さえ部材１３は可動枠１６に折曲げ加工で一体成形されている。
またプレスフレーム１ｃには、固定枠１５と可動枠１６の間に、可動枠を紙載台側に付勢する加圧スプリング１４が配置しである。
これと共に可動枠１６には加圧スプリング１４のバネ力に抗して紙押さえ部材１３を紙載面から離間した上昇位置に待機させるカム部材１９が設けてある。
【００２８】
ガイドフレーム１ｄにはメインフレーム１ａの紙載面２ａにシート束Ｓを案内するガイドフラッパ（シートガイド）２３ａ、２３ｂと、このガイドフラッパを開閉するフラッパモータＳＭが設けてある。その詳細な構造は後述する。
【００２９】
［紙載台］
装置フレーム１には前述したようにシート束Ｓを載置する紙載台２が設けられ、この紙載台２には紙載面２ａが図５に示すように紙載エリア１２に配置されている。
そしてこの紙載面２ａにはガイドフラッパ（シートガイド）２３ａ、２３ｂが同一平面に配置されている。ガイドフラッパ（シートガイド）２３ａ、２３ｂは図５左端から送られたシート束或いは図５右端から送られたシート端を紙載台２に案内する。
つまり図示の装置は断裁するシート束Ｓを図５の状態において右側を上流にシート束を搬入しても、左側を上流にシート束を搬入しても、紙載台２にセットすることができ、切断処理したシート束を紙載台２から左右いずれの下流側に搬出することができるようになっている。
【００３０】
［紙押さえ機構］
上記紙押さえ部材１３には加圧面１３ａが、紙載台２には紙載面２ａが形成され、シート束Ｓの上面を加圧面１３ａが、下面を紙載面２ａが上下から挟むように支持する。
そして加圧面１３ａと紙載面２ａのいずれか一方が他方に対して接近するとシート束Ｓを押圧保持する。図示のものは紙載台２をメインフレーム１ａに固定し、加圧面１３ａをシート束厚さ方向に上下動可能に構成し、紙載面２ａと加圧面１３ａとの間でシート束Ｓを挟圧して保持する。
【００３１】
図４に従って紙押え機構を説明する。同図（ａ）はプレスフレーム１ｃの可動枠１６に一体に形成された紙押さえ部材１３を上方の待機位置から降下させて加圧面１３ａが紙載台２上のシート束Ｓを押圧した状態を示す。
同図（ｂ）は可動枠１６を押圧位置から待機位置に上昇させ紙載台上のシート束Ｓの上方に退避させた状態を示す。
【００３２】
図４に示すようにプレスフレーム１ｃはメインフレーム１ａに固定される固定枠１５とこの固定枠に上下動可能に支持された可動枠１６で構成されている。可動枠１６には紙押さえ部材１３が形成（図示のものは折曲げ成形）され、この紙押さえ部材には加圧面１３ａが設けられている。
この加圧面１３ａは紙載面２ａと対向する姿勢で上下動可能に配置され、紙載台上のシート束Ｓを押圧する押圧位置（図４（ａ））と、この紙載台２から離間した待機位置（図４（ｂ））との間で上下動する。
【００３３】
このため可動枠１６は固定枠１５に揺動リンク１８ａ、１８ｂで平行四辺形を描くように連結されている。図４において右揺動リンク１８ａは回動支点１８ｘを中心に揺動可能に固定枠１５に軸支持され、左揺動リンク１８ｂは回動支点１８ｘを中心に軸支持されている。
そして左右一対の揺動リンク１８ａ、１８ｂを図４（ａ）の押圧状態から時計方向に所定角度揺動すると同図（ｂ）の待機状態に紙押さえ部材１３が上昇する。逆に揺動リンク１８ａ、１８ｂを同図（ｂ）の待機状態から反時計方向に所定角度揺動すると同図（ａ）の押圧状態に紙押さえ部材１３が下降する。
【００３４】
そして上記可動枠１６と固定枠１５との間には、加圧スプリング１４が常に可動枠１６の紙押さえ部材１３を紙載面２ａ側に付勢するように配置されている。
図示のものは加圧スプリング１４ａ、１４ｂ、１４ｃ、１４ｄ、１４ｅがバネ軸１４ｙの周囲に巻廻してあり、バネ軸１４ｙは固定枠１５と可動枠１６の間に貫挿支持されている。
【００３５】
上記可動枠１６は加圧スプリング１４で紙載面上に付勢されている紙押え部材１３を、紙載面２ａ上方に待機させ紙載エリア１２にシート束Ｓを搬入（搬出）する必要がある。このため可動枠１６には後述する走行キャリッジ４の往復動する走行ストロークＳｔに沿ってカム部材１９が配置されている。
図示のカム部材１９は可動枠１６に一体に形成されたスライドカム（カム板）で構成されている。このカム板（カム部材）１９にはカム面１９ａが配置され走行キャリッジ４の左限位置Ｓｐ２と右限位置Ｓｐ１では紙押さえ部材１３が紙載面２ａから離間した待機位置に上昇し、両限度位置の中央に位置するシート切断位置（切断領域ＣＬ）のときには紙押さえ部材１３は紙載面２ａにシート束Ｓを押圧して保持するようになっている。
【００３６】
上述のカム面１９ａについて説明すると、このカム面１９ａは紙押さえ部材１３を走行キャリッジ４の切断動作に連動して紙載台上のシート束Ｓを押圧・解除するように形成されている。このためカム面１９ａには走行キャリッジ４に取り付けたフォロア部材２０（遊動コロ；以下「フォロアコロ」という）が係合している。
このカム面１９ａとフォロアコロ２０とはシート束Ｓを切断する切断領域ＣＬ（図３参照）では非接触状態となり、シート束Ｓの切断領域ＣＬから離れた左限位置Ｓｐ２と右限位置Ｓｐ１では互いに係合する。この互いに係合した状態では紙押さえ部材１３は紙載台上のシート束Ｓから離間した待機状態に、互いに非接触（非係合）状態では紙押さえ部材１３は加圧スプリング１４の作用で紙載面２ａにシート束Ｓを押圧する状態となる。
【００３７】
［走行キャリッジ］
上述のサブフレーム１ｂに取り付けられ、紙載面２ａに沿って所定ストロークＳｔで往復動する走行キャリッジ４（以下単に「キャリッジ」という）について説明する。
図２に示すようにキャリッジ４は上部ガイドレール１１（第１ガイドレール１１ａと第２ガイドレール１１ｂ）に嵌合され所定ストロークＳｔで往復動するように支持されている。そしてこの上部ガイドレール１１はサブフレーム１ｂに固定され、キャリッジ４はメインフレーム１ａの紙載面２ａに沿って往復動するように配置されている。
【００３８】
上述のキャリッジ４について図５を参照して説明する。同図は装置の中央縦断面図を示す。キャリッジ４には後述する切断刃ユニット３が着脱自在に取り付けられ、装置フレーム（サブフレーム１ｂ）に設けられた第１、第２ガイドレール１１ａ、１１ｂに嵌合支持されている。
つまりキャリッジ４には第１ガイドレール１１ａに嵌合する係合孔４１ａと、第２ガイドレール１１ｂに嵌合する係合孔４１ｂが設けられている。そしてこの第１、第２ガイドレール１１ａ、１１ｂに嵌合されたキャリッジ４は位置ズレ、ガタつきなくスムーズに紙載面２ａに沿って所定ストロークＳｔで往復動するようになっている。
このキャリッジ４の動作は、ガイドロッド間の平行度、ロッド径の精度、係合孔の加工精度を円滑で、ガタつき少なく緊密な運動が可能なように管理することによって得られる。
【００３９】
上記キャリッジ４の駆動機構について説明する。図２に示すサブフレーム１ｂには、走行駆動手段６が配置されている。走行駆動手段６は駆動モータＭ１と、この駆動モータＭ１の回転をキャリッジ４の往復動に伝達するタイミングベルト４８で構成されている。駆動モータＭ１はメインフレーム１ａにマウント支持され、正逆転可能なステッピングモータで構成されている。
またタイミングベルト４８は上部ガイドレール１１に沿って左右一対のプーリ（不図示）に支持されている。プーリの一方には駆動モータＭ１の回転が中間伝動ベルト４７で伝達されている。
【００４０】
また上記タイミングベルト４８はその一部がキャリッジ４に固定され、駆動モータＭ１でベルトを左右いずれかの方向に移動すると、キャリッジ４も同一方向に同一量移動するようになっている。
【００４１】
上記キャリッジ４には前述したカム面１９ａと係合するフォロアコロ２０が取り付けられている。このフォロアコロ２０はキャリッジ４に植設した支軸に遊動回転するように嵌合支持されている。
これによってキャリッジ４の移動動作で前述の加圧スプリング１４の付勢力を受けるカム面１９ａの高さ位置（加圧位置か加圧解除位置）を制御することとなる。
【００４２】
上記キャリッジ４の位置制御について説明する。キャリッジ４には、その位置を検出フラグする検出フラグ４ｆｒとポジションセンサＳｅ１、Ｓｅ２が設けられている。
図示の装置は、シート束Ｓの切断動作の初期位置をキャリッジ４の右限位置Ｓｐ１と左限位置Ｓｐ２それぞれに設定し、キャリッジ４の左右動それぞれでシート束Ｓを切断するように構成されている。
このため装置フレーム１には、右限位置Ｓｐ１にポジションセンサＳｅ１が、左限位置Ｓｐ２にポジションセンサＳｅ２が配置され、キャリッジ４にはセンサフラグ４ｆｒが配置されている（図３参照）。
【００４３】
このような構成で制御手段（不図示）は駆動モータＭ１を右限位置Ｓｐ１と左限位置Ｓｐ２との間で往復動する。このとき右限位置Ｓｐ１からプレス動作領域ＰＬ１、切断領域ＣＬ、プレス動作領域ＰＬ２、左限位置Ｓｐ２の順に所定長さに設定されている。
プレス動作域ＰＬ１、ＰＬ２はシートの切断領域ＣＬの両側でシート束Ｓを紙載面２ａに押圧する動作と押圧解除する動作を実行するスパンに設定され、切断領域ＣＬはシート束Ｓを切断する長さに設定され、最大サイズシートの切断長を基準に定められている。
【００４４】
そして、制御手段は、右限位置Ｓｐ１をポジションセンサＳｅ１で、左限位置Ｓｐ２をポジションセンサＳｅ２で検出し、速度制御する。この他、速度制御のための構成として、駆動モータＭ１にエンコーダとエンコードセンサを配置する。
これによって例えばポジションセンサＳｅ１、Ｓｅ２の検知信号とエンコードセンサ（不図示）のエンコード信号で駆動モータＭ１のショートブレーキを作動させ、あるいはモータの回転速度を増減速させる制御が可能となる。
【００４５】
［切断紙片規制部材］
シート束Ｓの一端から他端に走行する平板形状の切断刃で切断すると、切断部位の紙葉が局部的に盛り上がる（迫り上がる）現象が現れ、このシート束Ｓの局部的な変形によって切断面の品位が著しく劣る。
そこで図示の装置は、切断部位で切断紙片が迫り上がるのを防止する切断紙片規制部材２７を配置する。図１１（ａ）は切断線に沿って移動するキャリッジ４の正面構成を、同図（ｂ）はその背面構成を示す説明図である。
【００４６】
キャリッジ４には前述した切断刃ユニット３と共に切断紙片規制部材２７（以下単に規制部材と云う）が配置されている。この規制部材２７は切断線に沿って移動する切断刃ユニト３で切除された紙片が上方にせり上がるのを防止するために切断刃の切断方向後方に配置される。
図示の装置は切断刃ユニット３が左右移動する双方向切断である関係で上刃３２の左右に配置されている。図示の規制部材２７は紙面に沿って転動するロール部材で構成され、図９に示すように上刃３２で切断した切除紙片を上方から押圧して反り上がるのを防止する。
【００４７】
キャリッジ４には左右一対の揺動アーム２７ａ、２７ｂが揺動可能に軸支持されている。図１１（ａ）において右側の揺動アーム２７ａは支軸２７ｘを中心に摺動可能に支持され、先端部には遊動ロール２７ｒ１が回転可能に軸支されている。
また左側の揺動アーム２７ｂは支軸２７ｘを中心に揺動可能に軸支され、その先端部には遊動ロール２７ｒ２が回転可能に軸支されている。そして左右の揺動アーム２７ａ、２７ｂには付勢スプリング２８がその位置を図１１（ａ）の状態に保持している。
【００４８】
そこでキャリッジ4が左右いずれかの方向に移動すると、紙載台上のシート上面と接する遊動ロール２７ｒ１（２７ｒ２）は、走行方向前方に位置するロールは紙面高さに倣うように揺動し、走行方向後方に位置するロールは切断された紙片を押圧して反り返るのを防止するように押下する。
なお左右の揺動アーム２７ａ、２７ｂは図１１（ａ）（ｂ）の範囲で揺動し、それ以外の角度方向にはストッパで揺動しないようになっている。
【００４９】
図１１（ａ）（ｂ）から明らかなように、本発明の左右一対の遊動ロール２７ｒ１、２７ｒ２は走行方向前方に位置するロールは紙載台上の紙面と同じ高さ位置で、走行方向後方に位置するロールは紙面より低い位置に位置決めされている。
【００５０】
また図１３に示すように左右一対の遊動ロール２７ｒ１（２７ｒ２）は紙載台２に支持されているシート束の紙面を基準にトリミングカットする方向に徐々に低くなるテーパを有する円錐形状のローラで構成されている。これは切除するシートにストレスを与えないためである。
【００５１】
［切断刃ユニット］
上述のキャリッジ４には切断刃ユニット３が着脱交換可能に取り付けられている。切断刃ユニット３は、刃先ブレード３１とカバー部材６０と刃先ホルダ３５で構成されている。
図１０（ａ）は切断刃ユニット３を切断方向の正面側から、同図（ｂ）は切断方向と直交する方向の側面側から見た状態を示している。
刃先ブレード３１は、３１ａ、３１ｂを有する平刃形状に形成されている。つまり平板形状の金属素材（炭素鋼、合金鋼など）にナイフエッジを形成した刃物で構成され、その切刃エッジを切断線（図１０（ａ）左右方向）に沿って走行させることによってシート（束）を切断する。
【００５２】
図示の刃先ブレード３１は走行方向の左右それぞれに切刃エッジ３１ａ、３１ｂを備えている。これは切刃エッジを左方向に向けて走行させても、反対の右方向に向けて走行させても、いずれでもシートを切断するためである。
また、切刃エッジ３１ａ、３１ｂの形状は図１０（ｃ）に示すように片刃形状に形成してあり、これによって切断端面の品位を改善（品位アップ）している。この場合、片刃形状とは図示のようにシート束の切断端面と同一平面の逃げ面（逃げ角度ゼロ度）と、掬い角度β（０＜γ＜９０）を有する形状を云う。
そして左右の切刃エッジ３１ａ、３１ｂは、切断するシート紙面に対して鋭角度θ（０度＜θ＜９０度）にしてある。つまり右切刃エッジ３１ａと左切刃エッジ３１ｂは紙面を基準に略同一角度θで傾斜している。
【００５３】
また、図示の切断刃ユニット３は、刃先ブレード３１（上刃３２）と対向して下刃３３が共通の刃先ホルダ３５に取り付けられている。
つまり刃先ブレード３１は、切断シートを切断線に沿って移動（走行）することによって切断するが、その切断を補助するために上刃と噛み合う下刃が必要となり、この下刃は切断線に沿って紙載台２に配置するか、或いは刃先ブレード３１（上刃）と一体的に切断線に沿って走行するように配置する。
【００５４】
図示の実施形態では、下刃３３を刃先ブレード３１（以下上刃３２という）と一体に刃先ホルダ３５に取付けて切断線方向に走行させる機構を採用している。また下刃３３は、上刃３２と協働してシート束Ｓを切断する刃面３３ａと、その両側にはシート束の下面を刃面３３ａに案内する３３ｂ、３３ｃ（傾斜角度β）が形成してある。
図１０（ａ）において下刃３３が右方向に移動するときにはテーパ３３ｂがシート束の下面を刃面３３ａに向けて案内し、逆方向の左方向に移動するときにはテーパ３３ｃがシート束の下面を刃面３３ａに向けて案内する。
【００５５】
そして上刃３２と下刃３３とは互いに接合して一体となるように形成されているが、接合面の間にシートが侵入すると、切断不良を招くため上刃３２と下刃３３とは一方に凸状突起３３ｘ、他方に凹嵌部３２ｘが形成してあり、両者を嵌合することによって隙間を形成することなく両刃を一体化するようになっている。
つまり上刃３２と下刃３３の隙間に最下層シートが侵入すると切断不良を招き、紙詰まりしたシートを取り外すことに面倒な作業を余儀なくされる。
【００５６】
このように図示の実施形態では、下刃３３を刃先ブレード３１と一体に刃先ホルダ３５に取付けて切断線方向に走行させる機構を採用している。
これによって下刃３３を紙載台２に固定する構造に比べて切断トルクの軽減と、製作精度を改善している。
従って、本発明にあって切断刃ユニット３は切刃エッジ３１ａ、３１ｂを有する刃先ブレード３１と下刃３３を一体に刃先ホルダ３５に備える必然性はなく、下刃３３を紙載台２に固定して配置することも可能である。
【００５７】
次に刃先ホルダ３５について図１０（ｂ）に従って説明する。刃先ホルダ３５は基端部３５ａと先端部３５ｂとの間にアーチ状湾曲部３５ｃを有するアーム形状に構成されている。
この基端部３５ａには上刃３２の刃元部（基端部）３２ａを固定する刃元取付部（固定ネジ３４ａ）が、先端部３５ｂには上刃３２の刃先部（先端部）３２ｂを固定する刃先取付部（固定ネジ３４ｂ）と下刃３３を固定する下刃取付部（固定ネジ３４ｂ）がそれぞれ設けられている。
【００５８】
なお図示の装置は刃先ホルダ３５の先端部３５ｂに上刃先端部３２ｂと下刃３３を同一の固定ネジ３４ｂで固定しているがこれは別々の固定手段で固定しても良い。また刃先ホルダ３５のアーチ状湾曲部３５ｃには、切断刃ユニット３の走行方向と直交する方向にシート束Ｓの最大カット幅Ｗｍａｘより大きい空間が形成されている（図１０（ｂ）参照）。
【００５９】
このように形成された下刃３３には、刃先ホルダ３５に固定された状態で切断線方向にガイドレール１７（下部ガイドレール）が設けられている。その構成は図５に全体構成が、図１０（ｂ）に細部の構成が示されている。
図１０（ｂ）に示すように紙載台２がメインフレーム１ａに一体に形成され、この紙載台２に下部ガイドレール１７が折曲げ形成されている。切断線方向にガイド面１７ａが形成され、このガイド面１７ａに下刃３３に一体形成した凹陥溝３３ｇが嵌合してある。
【００６０】
つまり切刃エッジ３１ａ、３１ｂを有する切断刃３２は、刃先ホルダ３５にその上端部と下端部を固定され、剪断負荷による刃先の反り返り（図１０（ｂ）破線）を防止している。
これと共に、刃先ホルダ３５は、その基端部３５ａをキャリッジ４に装着され、その先端部３５ｂは、これに固定された下刃３３を介して紙載台２に配置された下部ガイドレール１７に嵌合支持されている。またキャリッジ４は上部ガイドレール１１に嵌合支持されている。
【００６１】
このような構成によって切断刃３２は、その基端部３２ａと先端部３２ｂを刃先ホルダ３５に固定されているので刃先ブレード３１に作用する剪断負荷は刃先ホルダ３５にバックアップされて受け止められる。
このため刃先ブレードが図１０（ｂ）破線のように反り返り変形することがない。これと共に刃先ホルダ３５はキャリッジ４に着脱可能に装着され、キャリッジは装置フレーム１に配置されている上部ガイドレール１１ａ、１１ｂに沿って切断線方向に往復動するように支持されている。
また刃先ホルダ３５の先端部３５ｂは下刃３３に形成した凹陥溝３３ｇによって下部ガイドレール１７に嵌合され切断線方向に往復動するように支持されている。
【００６２】
つまり刃先ホルダ３５に取り付けられた切断刃３２，３３は、紙載台上のシート（束）を挟んで上部ガイドレール１１ａ、１１ｂと、下部ガイドレール１７に沿って切断線方向に往復動するように支持されている。このため切断刃３２，３３はガタつきなくスムーズに切断線方向に走行移動することが可能となる。
なお、本発明にあって下部ガイドレール１７に下刃３３を係合する場合を説明したが、装置フレームに切断線方向に沿って下部ガイドレールを設け、このガイドレールに刃先ホルダの先端を係合させるように構成しても良い。
【００６３】
［刃先ブレード開閉機構］
上述の切断刃ユニット３には刃先ブレード３１の切刃エッジ３１ａ、３１ｂを開閉するカバー部材６０が配置されている。
これは切断刃ユニット３で操作者が負傷する危険があるため、（１）使用者が刃先に触れる恐れのあるときにはエッジをカバー部材で覆うこと。（２）切断刃で切断動作するときのみエッジを露出し、切断動作以外のときにはエッジを覆うこと。この（１）（２）のいずれか一方、若しくは両方を採用する。
【００６４】
上記（１）及び（２）の目的を達するため、本発明は切断刃の切刃エッジ３１ａ、３１ｂを開閉するカバー部材６０を走行キャリッジ４の往復動動作に関連させて開閉する。以下その実施形態について説明する。
【００６５】
前述した切断刃（上刃）３２は、刃先ブレード３１の左右に刃先エッジ３１ａ、３１ｂが形成され、切断刃（上刃）３２の基端部３２ａと先端部３２ｂは固定ネジ３４ａ、３４ｂで刃先ホルダ３５に固定されている。この状態で刃先ホルダ３５にはカバー部材６０が取り付けられている。カバー部材６０は図１４（ａ）に側面形状を、同図（ｄ）に断面形状を示すように、エッジの長さに適合するプレート部材で構成されている。
そしてこのプレート部材（カバー部材）６０には右フランジ（リブ）６０ａが右切刃エッジ３１ａの周縁に、左フランジ６０ｂが左刃先エッジ３１ｂの周縁に設けられ、左右のフランジの高さは刃先エッジ３１ａ、３１ｂを覆う高さに形成されている。この左右フランジ６０ａ、６０ｂを有するカバー部材６０は、刃先ホルダ３５に軸支ピン６１で回動可能に支持されている。
【００６６】
カバー部材６０は軸支ピン６１を中心に揺動可能で刃先ブレード３１を覆う図１４（ａ）実線状態（閉蓋状態）と刃先ブレード３１から退避した破線状態（開蓋状態）となる。この状態は同図（ｃ）において軸支ピン６１を中心にカバー部材６０を反時計方向に回転すると刃先ブレード３１から離れた方向に揺動して図（ａ）破線状態となり刃先ブレード３１を開蓋する。
また逆に軸支ピン６１を中心に時計方向に回転するとカバー部材６０は刃先ブレード３１を覆う同図実線状態となる。そして、カバー部材６０を開蓋方向に付勢する（図１４（ｃ）の状態）にバネ力の作用する方向が反転する角度位置にバネストッパ６３が配置してある。
【００６７】
また上記カバー部材６０には伝動レバー６４が一体に形成してあり、この連動レバー６４を図１４（ｂ）の角度位置に回転（角度シフト）すると閉蓋状態に、同図（ｃ）の角度位置に回転（角度シフト）すると開蓋状態にバネの付勢方向を変更させることができる。
そして、このカバー部材６０の伝動レバー６４を角度変異させるカバーシフト手段６６が設けられている。
【００６８】
図示のカバーシフト手段６６は、装置フレーム１に取り付けられたシフトカム６６ａと、このシフトカムの角度姿勢を一方向に付勢する付勢スプリング６６ｂで構成されている。
シフトカム６６ａは図１５に示すようにフラッパ形状のカムで構成され、軸６６ｃを中心に揺動可能に装置フレーム１に取り付けられている。
またこのシフトカム６６ａは常に一方向（図示のものは時計方向）に回転するように付勢スプリング６６ｂが設けてある。
【００６９】
一方上記伝動レバー６４の先端部には係合コロ６５が遊動回転するように取り付けられ、この係合コロ６５がシフトカム６６ａに係合する。この係合コロ６５が走行キャリッジ４に搭載された状態で右限位置Ｓｐ１から左限位置Ｓｐ２の間で往復動し、その中間位置で紙載台上のシート束を切断するようになっている。
【００７０】
そこでシフトカム６６ａは、走行キャリッジ４の走行開始位置（図示のものは右限Ｓｐ１位置と左限位置Ｓｐ２）から紙載台上のシートを切断する切断開始位置の間に配置されている。
従って走行キャリッジ４が走行開始位置から切断開始位置に向けて移動すると、シフトカム６６ａが係合コロ６５を上方向または下方向に移動させる。これによって伝動レバー６４が時計方向又は反時計方向に回転し、カバー部材６０を開閉動する。
【００７１】
そして図示のシフトカム６６ａの位置は左右往復動する走行キャリッジ４の走行開始位置（ホームポジション若しくは右限位置Ｓｐ１、左限位置Ｓｐ２）ではカバー部材６０が閉じた閉蓋状態（図１４（ｂ））で、切断開始位置ではカバー部材６０が開いた開蓋状態（図１４（ｃ））となるように、走行開始位置と切断開始位置との間にシフトカム６６ａが配置されている（図１６参照）。
【００７２】
そして後述する制御手段は、図１６に示すように、右限位置Ｓｐ１又は左限位置Ｓｐ２に設定されている切断開始位置（ホームポジション）から低速度Ｖ１で移動する。このとき走行キャリッジ４の移動でカバー部材６０は閉蓋状態から開蓋状態に姿勢変更し、同時にこの低速度Ｖ１の領域で紙押さえ手段で紙載台上のシート束を押圧する。
その後、制御手段は切断刃３２がシート束の端面を切断開始するタイミングで中速度Ｖ２で紙載台上のシート束を切断する。
【００７３】
そして切断刃３２の刃先がシート束の束厚さに達した段階で走行キャリッジ４の速度を高速度Ｖ３にシフトする。すると切断３２刃は比較的高速にシート束を切断し切断終了位置の手前で走行キャリッジ４の速度を中速度Ｖ２に減速する。
そして走行キャリッジ４が走行開始位置と反対側のストローク限位置に到達する手前で低速度Ｖ１に減速する。するとカバー部材６０は開いた開蓋状態にから閉じた閉蓋状態に姿勢変更し、走行終了位置に停止する。
【００７４】
以上の制御で走行キャリッジ４に搭載された切断刃３２は、その走行開始位置と走行終了位置とでは閉蓋状態に刃先が閉じられ、装置内に進入したものを不用意に切断することはない。
また、後述する制御手段は、切断ジャムなどの切断不具合が発生したときには、走行キャリッジ４を走行開始位置に後退走行させるように構成されている。
【００７５】
従って、切断刃３２の負荷をモータトルクの過剰上昇あるいは所定時間経過しても切断終了しないときには、切断部に不具合が生じたと判別し、走行キャリッジ４を後退走行させて走行開始位置に戻す。この動作で切断刃３２はカバー部材６０に覆われて不具合を解消する処置を安全に施すことができる。
【００７６】
［搬送ガイド機構］
上記紙載台２の開口部１２にシート束を上流側（製本位置）から案内する搬送ガイド機構２２（前述のガイドフラッパ）が設けられている。この搬送ガイド機構について図５乃至図７について説明する。
図５はその一実施形態の断面構成を示し、図６（ａ）はガイド機構２２がシートを断裁位置に案内する状態を示し、図６（ｂ）はガイド機構２２がシートを断裁位置から退避した状態を示す。図７はガイド機構２２をガイド位置と退避位置との間で姿勢変更するシフト駆動手段を示し、（ａ）は駆動モータとその減速機構から構成される駆動機構を、（ｂ）は上部、下部ガイドプレートを開閉する駆動機構を示す。また図８は図５の実施形態と異なる実施形態を示す。
【００７７】
図５において装置フレーム１には開口部１２に紙載台２が一体に形成され、その紙載面の上方には紙押え部材１３がシート束を押圧する加圧位置と紙面から退避した待機位置との間で上下動するように構成されている。
これと同時に紙載台上にセットされ紙押え部材１３に位置保持されたシート束を切断する切断刃３２が走行キャリッジ４に搭載されている。
【００７８】
このような構成において、上記紙載台２には、その上流側に走行キャリッジ４を介して紙押さえ部材１３と対向する位置にガイド部材２３（前述のガイドフラッパ２３ａ、２３ｂ）が配置されている。
【００７９】
図示のものは、紙載台２の上方に上部ガイドプレート２３ａが、下方に下部ガイドプレート２３ｂが配置され、上部ガイドプレート２３ａは、紙載台２に搬入するシート上面をガイドし、下部ガイドプレート２３ｂはシート下面をガイドする位置に配置されている。
上部、下部ガイドプレート２３ａ、２は、走行キャリッジ４の走行エリア（図５参照）に対してエリア内部のガイド位置とエリア外部の退避位置との間で揺動可能に取り付けられている。
上部ガイドプレート２３ａは装置フレームに支軸２４ａで、下部ガイドプレート２３ｂは、支軸２４ｂで揺動可能に軸支持され、走行エリアＡｒに進退可能に配置されている。
【００８０】
そして上部ガイドプレート２３ａの支軸２４ａには揺動ギア４３ａが、下部ガイドプレート２３ｂの支軸２４ｂには揺動ギア４３ｂがそれぞれ固定されている。この揺動ギア４３ａと揺動ギア４３ｂとは、同一するよう反対方向に回転するように違いに噛合されている。そして一方の揺動キア４３ｂにはシフトモータ（フラッパモータ）ＳＭの回転が伝動ギア４４を介して伝達されている。
【００８１】
この伝動ギア４４には駆動モータ（シフトモータ）ＳＭが次のように連結されている。装置フレーム１には正逆転可能なシフトモータＳＭが取り付けられ、その駆動回転軸４２にはウオームギア４５ａとウォームホイール４５ｂを介して第１バネクラッチ４９ａと第２バネクラッチ４９ｂが連結され、この第１、第２バネクラッチを介して伝動ギア４４が連結されている。
【００８２】
第１バネクラッチ４９ａはシフトモータＳＭの正方向回転のみを伝動ギア４４に伝達し、第２バネクラッチ４９ｂは反転方向の回転を伝動ギア４４に伝達し、両クラッチ共に所定トルクの回転を伝達し、それ以上のトルクでは滑り運動するトルクリミッタ構造で構成されている。
そしてシフトモータＳＭの正方向回転で伝動ギア４４は時計方向に回転し、上下部のガイドプレート２３ａ、２３ｂを退避位置（図６（ｂ））に移動する。また、反対方向回転で伝動ギア４４は反時計方向に回転し、上下部のガイドプレート２３ａ、２３ｂはガイド位置（図６（ａ））に移動する。
【００８３】
これと共に上下部のガイドプレート２３ａ、２３ｂは、退避位置、ガイド位置、それぞれにおいて装置フレーム１に設けられたストッパ手段（不図示）に係止され、このストッパ手段で係止されたのちにはトルクリミッタが空転する。
また、上部、下部ガイドプレート２３ａ、２３ｂには、その退避位置を検出するガイドポジションセンサＧｓ（図５参照）が配置されている。このポジションセンサＧＳは上部ガイドプレート２３ａと下部ガイドプレート２３ｂそれぞれに配置する場合と、図示のように両者が互いに歯合して一体運動するときにはその一方に配置する。
【００８４】
なお、本発明にあって後述する制御手段は、シフトモータＳＭを走行キャリッジ４が待機位置に位置し、駆動モータＭ１が停止しているとき、断裁指示信号を受信した段階でシフトモータＳＭを駆動して上下部ガイドプレート２３ａ、２３ｂをガイド位置から退避位置に移動した後に、ポジションセンサの検知信号を受けて駆動モータＭ１を起動する。
これによって走行キャリッジ４は上下部のガイドプレート２３ａ、２３ｂに妨害されることなく所定の切断開始位置に向かって移動する。
【００８５】
［ガイド機構の異なる実施形態］
図８は図５のガイド機構と異なる実施形態を示し、（ａ）は全体構成を、（ｂ）は駆動機構を示す。
同図に示す実施形態は、紙載台２の上下には一対の上部ガイドプレート２３ａと、下部ガイドプレート２３ｂをシート束を案内するガイド姿勢と、ガイド位置から退避する退避姿勢との間で揺動可能に軸支持する。この構成は前述のものと同一であるので同一符号を付してその説明を省略する。
【００８６】
上記紙載台２には、常時シートを押圧する付勢スプリング７０が配置され、上方の紙押え部材１３は装置フレーム１に固定してある。そして付勢スプリング７０は、走行キャリッジ４が走行開始位置から切断開始位置に移動する間の動作で付勢スプリング７０が紙載台２を下方の待機位置から上方部を加圧位置に位置移動する。
【００８７】
このように上下動する紙載台２には、ラック７１が設けてあり、このラックに歯合する伝動歯車７２が、上部ガイドプレート２３ａの支軸２４ａに取り付けてある揺動キア７３ａと、下部ガイドプレート２３ｂの支軸２４ｂに取り付けてある揺動ギア７３ｂと歯合する。
【００８８】
このような構成において紙載台２（前述の実施形態における紙押え部材１３）が退避位置から加圧位置に移動する（上昇動作、又は下降動作）動作で上部ガイドプレート２３ａと下部ガイドプレート２３ｂは、同一量反対方向に回転し、シート束を紙載台側に案内するガイド姿勢から、ガイド位置から退避した退避位置との間で揺動する。
【００８９】
また、上ガイドプレート２３ａと下部ガイドプレート２３ｂの揺動タイミングは前述の実施形態と同一に構成する。
【００９０】
［カッタ制御部］
上述したように装置フレーム１（図示のものはサブフレーム１ｂ）に駆動モータＭ１が取り付けてあり、この駆動モータＭ１は正逆転可能な電磁モータか或いはステッピングモータで構成されている。電磁モータの場合には、エンコーダとエンコードセンサでパルス制御は可能に構成する。
また、所定ストロークＳｔで往復動する走行キャリッジ４は、その左限位置Ｓｐ２と右限位置Ｓｐ１をポジションセンサＳｅ１、Ｓｅ２で検出するようになっている。
【００９１】
このように構成された駆動モータＭ１は、その回転を中間伝動ベルト４７を介してタイミングベルト４８に伝達され、このタイミングベルトはガイドレール（上部ガイドレール１１と下部ガイドレール１７）に沿って所定ストロークＳｔで走行キャリッジ４４を往復動するようにプーリ間に配置されている。
走行キャリッジ４にはフォロアコロ２０が一体に設けられ、このコロ２０はカム部材１９のカム面１９ａに係合し、このカム面は紙押さえ部材１３１３を紙載面２ａから離間した待機位置（図４（ｂ））と紙載面上のシートを押圧する加圧位置（図４（ａ））との間でシフトするように形成されている。
【００９２】
また紙押さえ部材１３は前述したように加圧スプリング１４の作用を受け、シートの加圧状態を示す図４（ａ）ではカム面１９ａとフォロアコロ２０は互いに非係合状態となり、加圧スプリング１４のバネ力は紙押さえ部材１３１３に伝えられ、シート上面を押圧する。
また走行キャリッジ４は右限位置Ｓｐ１と、左限位置Ｓｐ２に位置するときには、加圧スプリング１４のバネ力はカム面１９ａとフォロアコロ２０の係合部で受け止められ紙押さえ部材１３は紙載面２ａ上のシート束Ｓから離れた待機位置に位置する。
【００９３】
［後処理装置の構成］
図１７に示す画像形成システムについて説明する。同図には画像形成装置Ｂと、画像形成されたシートを部揃え集積にして折り処理する後処理装置Ｃとから構成されている。本発明に係るシート断裁装置Ａはユニットとして後処理装置Ｃに組み込まれている。
【００９４】
画像形成装置Ｂは給紙部４９から送られたシートを画像形成部５０で画像形成した後に排紙部５１に搬出する。画像形成部５１は静電印刷機構、インクジェット印刷機構、オフセット印刷機構、インクリボン印刷機構など種々の画像形成機構が採用可能である。
給紙部４９は複数のカセットに異なるサイズのシートを収納し、画像形成条件に応じたサイズのシートを１枚ずつ給紙して画像形成部５０に向けて供給する。画像形成部５０ではシートに画像を形成し、加熱定着などの定着手段で定着した後に排紙部５１に搬出する。排紙部５１の下流側には後処理装置Ｃが連結されている。
【００９５】
後処理装置Ｃは搬入口５２から搬入されたシートを処理トレイ５３上に部揃え集積にしてステープル綴じなどの綴じ処理を施し、このシート束の小口端の１辺若しくは３辺をトリミング断裁して仕上げ処理する。
図示の装置は綴じ処理したシート束の小口端１辺を断裁揃えする仕上げ装置を示す。断裁処理したシート束はその下流側に配置された排紙スタッカ５９に収納される。なお、シート断裁装置Ａの具体的構成については前述した通りである。
【００９６】
図１７において図示５４はパンチユニット、５６ａは端綴じステープルユニット、５６ｂは中綴じステープルユニットをそれぞれ示し、それぞれの機構はすでに知られているのでその説明を省く。
そして画像形成装置Ｂから送られたシートを搬入口５２から処理トレイ５３上に搬出し、このトレイ上で部揃え集積して綴じ処理したのちにスタックトレイ５８に収納する。
また同様に搬入口５２から送られたシートを第２処理部５５に集積し、この処理部に配置した中綴じステープルユニット５６ｂでシート中央部を綴じ処理する。
【００９７】
次いでこのシート束を折り処理部５７に搬送し、折り処理部では折りブレード５７ａと折りロール５７ｂで折り仕上げする（マガジン仕上げ）。このときシートの小口端は不揃いとなり、その縁部を断裁することによって仕上げ処理する。
このため折りロール５７ｂの下流側にシート断裁装置（ユニット）Ａを配置し、折り処理したシート束を排紙スタッカ５９に搬出する途中でその端縁をトリミング断裁する。
【００９８】
［断裁動作説明］
図１８乃至図２０に従って折り処理されたシート束の折り合わせ小口端を断裁揃えするトリミング動作について説明する。図示の装置は折り処理部で折り合わせたシート束を、中央折り処理部を先頭に折り合わせ小口端を後に移送する。
このように断裁位置Ｇに折り処理シート束を中央折部を先頭に、折り合わせ小口端を後に移送することによって搬送途中における先端折れを防止する。
これと共に折り処理シートは搬送ローラ７７で引き延ばされて断裁位置に送られるから、送り量で比較的正確に断裁量を設定することができる。
【００９９】
上流側の折り処理部５７で折り処理されたシート束は、排紙経路に送られる。この状態を図１８（ａ）に示すが、折り処理シートは、この経路に配置された搬送ローラ７７で断裁装置Ａに給送される。このとき搬送ガイド２２は図示のようにシート束を断裁位置Ｇに案内する姿勢に位置決めされている。
【０１００】
搬送ローラ７７で送られたシート束は、前述したように折り部（背部）を先頭に、小口部を末尾に向けて搬送され、その後端縁を後端検知センサＳｅ４で検出する。この状態を図１８（ｂ）に示すが、折りシート束は、後端縁が所定の位置（センサ位置）に到達するとセンサＳｅ４で検出して、この検出信号を基準にその後の送り量を設定する。
【０１０１】
シート束のカット量は、先に説明したようにシート束の束厚さに応じて最小断裁量が設定され、例えば算出カット量＝（１／２シートサイズ）−（指定仕上げサイズ）が「最小断裁量」より大きいときには算出カット量に、また算出カット量が最小断裁量より小さいときには最小断裁量に設定する。
そして、搬送ローラ７７の送り量を設定されたカット量に相当する分シート束の後端部（折り合わせ小口端）が断裁線の手前（上流側）で搬送停止して位置決めする。その後制御手段９０は走行キャリッジ４を切断線方向に移動する。この移動初期時に加圧部材１３が紙載台上に送られたシート束の上面を加圧して保持する。
【０１０２】
次いで制御手段は走行キャリッジ４の走行モータＭ１の所定回転速度で回転する。すると走行キャリッジ４に搭載された切断刃３２はシート束を一端から他端に徐々に切断する。
この状態を図１９（ｂ）に示すが、走行キャリッジ４の移動動作で切断刃３２がシート束を切断線に沿って一端から他端に徐々に切断し、その切断が終了したとき、走行キャリッジ４のポジションセンサＰｓの検出信号で走行モータＭ１を停止する。
【０１０３】
また、走行キャリッジ４がシート切断終了端からストローク限位置に移動する課程で加圧部材１３は紙載台上のシート面から上方に退避する。そして、シート束は排紙ローラ７８で下流側のスタックトレイ５９に向けて紙載台２から搬出される。この状態を図２０に示す。
【符号の説明】
【０１０４】
Ａ      シート断裁装置
１      装置フレーム
２      紙載台２
３      切断刃ユニット
４      走行キャリッジ４
１１    走行ガイド手段（上部ガイドレール）
１３    紙押さえ部材１３
１７    下部ガイドレール
１９    カム部材
２０    フォロア部材（フォロアコロ）
２２    搬送ガイド機構
２３ａ  上部シートガイド
２３ｂ  下部シートガイド
２７    切断紙片規制部材
３１    刃先ブレード
３１ａ  右切刃エッジ
３１ｂ  左切刃エッジ
３２    上刃
３２ａ  刃元部（基端部）
３２ｂ  刃先部（先端部）
３３    下刃
３３ａ  刃面
３３ｂ  テーパ
３３ｃ  テーパ
３４ａ  刃元取付部（固定ネジ）
３４ｂ  刃先取付部、下刃取付部（固定ネジ）
３５    刃先ホルダ
３５ａ  基端部
３５ｂ  先端部
３５ｃ  アーチ状湾曲部
３５ｘ  折り曲げ部
６０    カバー部材
６０ａ  右フランジ（リブ）
６０ｂ  左フランジ
６１    軸支ピン
６３    バネストッパ
【図１】
2014233803.tif 000003
【図２】
2014233803.tif 000004
【図３】
2014233803.tif 000005
【図４】
2014233803.tif 000006
【図５】
2014233803.tif 000007
【図６】
2014233803.tif 000008
【図７】
2014233803.tif 000009
【図８】
2014233803.tif 000010
【図９】
2014233803.tif 000011
【図１０】
2014233803.tif 000012
【図１１】
2014233803.tif 000013
【図１２】
2014233803.tif 000014
【図１３】
2014233803.tif 000015
【図１４】
2014233803.tif 000016
【図１５】
2014233803.tif 000017
【図１６】
2014233803.tif 000018
【図１７】
2014233803.tif 000019
【図１８】
2014233803.tif 000020
【図１９】
2014233803.tif 000021
【図２０】
2014233803.tif 000022